(57)【特許請求の範囲】
【請求項１】
原稿画像を読み取って画像データを外部装置へ出力可能な画像読取部と、外部装置からの画像データに基づいて電子写真プロセスにより記録紙に画像を記録可能な画像記録部とを一つの筐体内に配置し、複写機能、及びイメージスキャニング機能を備えたマルチファンクションプリンタにおいて、
前記画像読取部を初期化するための初期化信号の時間幅を複写動作、イメージスキャニング動作に対応させて設定し、
前記画像記録部は、前記初期化信号を検出し、該検出信号に基づいて画像の記録が必要でないと判断される場合は、前記電子写真プロセスの初期化処理を実行しないように構成したことを特徴とするマルチファンクションプリンタ。
【請求項２】
前記複写動作時は、原稿画像の読み取り動作を完了させる前から前記画像記録部において前記電子写真プロセスの初期化処理を含む前処理を行い、読み取り動作完了後には該前処理を終了させた状態にし、その後に画像形成を行うことを特徴とする請求項１記載のマルチファンクションプリンタ。
【請求項３】
原稿画像を読み取って画像データを外部装置へ出力可能な画像読取部と、外部装置からの画像データに基づいて電子写真プロセスにより記録紙に画像を記録可能な画像記録部とを一つの筐体内に配置し、複写機能、及びイメージスキャニング機能を備えたマルチファンクションプリンタに対し、
前記画像読取部を初期化するための初期化信号の時間幅を複写動作、イメージスキャニング動作に対応させて設定し、
前記画像記録部により、前記初期化信号を検出し、該検出信号に基づいて画像の記録が必要でないと判断される場合は、前記電子写真プロセスの初期化処理を実行しないことを特徴とするマルチファンクションプリンタの制御方法。
【請求項４】
前記複写動作時は、原稿画像の読み取り動作を完了させる前から前記画像記録部において前記電子写真プロセスの初期化処理を含む前処理を行い、読み取り動作完了後には該前処理を終了させた状態にし、その後に画像形成を行うことを特徴とする請求項３記載のマルチファンクションプリンタの制御方法。
【発明の詳細な説明】
【０００１】
【発明の属する技術分野】
本発明は、イメージスキャナ等の画像読み取り装置とレーザプリンタ等の画像記録装置とを一体化したマルチファンクションプリンタ及びその制御方法に関する。
【０００２】
【従来の技術】
密着型イメージセンサ（ＣＩＳ）によって原稿画像を読み取りホストコンピュータに画像データを出力するスキャナと、ホストコンピュータからの画像データを電子写真処理で記録紙に記録するプリンタとを一体化したマルチファンクションプリンタは、従来より既に知られている。
【０００３】
この種のマルチファンクションプリンタは、前記のスキャナとプリンタとが一つの筐体内に配置され、且つスキャナとプリンタの駆動源が１つの同一モータ（例えばステッピングモータ）で構成されている。そして、複写機能、ファクシミリ機能及びイメージスキャニング機能を有し、複写動作、ファクシミリ送信時の原稿読み取り、あるいはイメージスキャニング動作を行うに際しては、プリンタ部３の駆動系も同時に起動するようになっている。
【０００４】
例えば、複写動作時には、スキャナの密着型イメージセンサを前記駆動源により駆動して画像読み取り、その完了後にプリンタによる画像印字動作を行う。
【０００５】
【発明が解決しようとする課題】
しかしながら、上記従来例のように、スキャナとプリンタの駆動系を１つ同一モータで構成した場合には次のような問題があった。
【０００６】
（１）画像読み取り時の目的が複写動作、ファクシミリ送信動作あるいはイメージスキャニング動作によらず駆動源が起動してしまうために、プリンタの電子写真処理に不具合が発生する恐れがある。
【０００７】
（２）複写動作時に密着型イメージセンサを駆動して画像読み取り完了後に画像印字動作を行うようにすると、複写動作に要する時間が増える。
【０００８】
本発明は上記従来の問題点に鑑み、スキャナとプリンタの駆動源を１つのモータから供給する構成において、プリンタの電子写真処理を的確に行うことができるマルチファンクションプリンタ及びその制御方法を提供することを目的とする。さらに、スキャナとプリンタの駆動源を１つのモータから供給する構成において、複写動作時の出力時間の短縮を可能とするマルチファンクションプリンタ及びその制御方法を提供することを目的とする。
【００１２】
【課題を解決するための手段】
上記目的を達成するために、第１の発明では、原稿画像を読み取って画像データを外部装置へ出力可能な画像読取部と、外部装置からの画像データに基づいて電子写真プロセスにより記録紙に画像を記録可能な画像記録部とを一つの筐体内に配置し、複写機能、及びイメージスキャニング機能を備えたマルチファンクションプリンタにおいて、前記画像読取部を初期化するための初期化信号の時間幅を複写動作、イメージスキャニング動作に対応させて設定し、前記画像記録部は、前記初期化信号を検出し、該検出信号に基づいて画像の記録が必要でないと判断される場合は、前記電子写真プロセスの初期化処理を実行しないように構成したものである。
【００１３】
第２の発明では、上記第１の発明において、前記複写動作時は、原稿画像の読み取り動作を完了させる前から前記画像記録部において前記電子写真プロセスの初期化処理を含む前処理を行い、読み取り動作完了後には該前処理を終了させた状態にし、その後に画像形成を行うようにしたものである。
【００１７】
第３の発明では、原稿画像を読み取って画像データを外部装置へ出力可能な画像読取部と、外部装置からの画像データに基づいて電子写真プロセスにより記録紙に画像を記録可能な画像記録部とを一つの筐体内に配置し、複写機能、及びイメージスキャニング機能を備えたマルチファンクションプリンタに対し、前記画像読取部を初期化するための初期化信号の時間幅を複写動作、イメージスキャニング動作に対応させて設定し、前記画像記録部により、前記初期化信号を検出し、該検出信号に基づいて画像の記録が必要でないと判断される場合は、前記電子写真プロセスの初期化処理を実行しないようにしたものである。
【００１８】
第４の発明では、上記第３の発明において、前記複写動作時は、原稿画像の読み取り動作を完了させる前から前記画像記録部において前記電子写真プロセスの初期化処理を含む前処理を行い、読み取り動作完了後には該前処理を終了させた状態にし、その後に画像形成を行うようにしたものである。
【００１９】
【発明の実施の形態】
以下、図面を参照して本発明の実施の形態を説明する。
【００２０】
図１は、本発明の第１実施形態に係るマルチファンクションプリンタの概略構成を示す断面図である。
【００２１】
図１中の１はホストコンピュータであり、２はスキャナ部であり、３はプリンタ部である。また、２ａはスキャナコントローラ、３ａはプリンタコントローラ、３ｂはステッピングモータである。スキャナ２とプリンタ３は、一つの筐体内に配置され、且つその駆動源として１つのステッピングモータ２ａを共用してギア或いはベルト等で機械的に接続されている。
【００２２】
そして、このマルチファンクションプリンタは、複写機能、ファクシミリ機能及びイメージスキャニング機能を有し、複写動作、ファクシミリ送信時の原稿読み取り、あるいはイメージスキャニング動作を行う際に、プリンタ部３の駆動系も同時に起動するようになっている。
【００２３】
図２は、図１に示したマルチファンクションプリンタの制御ブロック図である。
【００２４】
同図において、４はステッピングモータドライバであり、４本の励磁信号Ａ，Ａａ，Ｂ，Ｂａによりステッピングモータ３ｂを駆動する。ステッピングモータドライバ４には、スキャナコントローラ２ａ及びプリンタコントローラ３ａのそれぞれから出力される励磁信号Ａ，Ａａ，Ｂ，ＢａがＯＲ回路５によって論理和をとって入力されている。また、スキャナコントローラ２ａとプリンタコントローラ３ａは双方向通信を行い、各々の動作状態を確認可能となっている。
【００２５】
前記スキャナ部２には、密着型イメージセンサ（ＣＩＳ）ユニットが内蔵されており、その構造を図３及び図４に示す。なお、図３は、密着型イメージセンサユニットの断面構造図、図４はその電気的接続を示すブロック図である。
【００２６】
図３の断面図において、５０が原稿読み取り位置、５１がＬＥＤ、５２がロッドレンズ、５３がセンサチップ、５４が基板であり、以上によって密着型イメージセンサユニットは構成されている。
【００２７】
また、図４に示すように、該ＣＩＳユニットにはＬＥＤ５１調光用の電源ＶＬＥＤ、ＶＧＮＤが接続され、さらにＶｏｕｔ出力回路（図示省略）用の電源ＶＣＣ、ＧＮＤが接続され、調光回路６０、ＬＥＤアレイ５１、ロッドレンズアレイ５２、及びセンサチップ５３が設けられている。
【００２８】
ＬＥＤ５１の光が原稿の画像に照射され、その反射光をロッドレンズアレイ５２を通してセンサチップ５３で受光する。そして、図５に示すように、クロックＣＬＫに同期して１ライン走査のデータを出力する。なお、図５は、主走査解像度４００ＤＰＩ時のタイミング図である。ＳＰはＶｏｕｔのデータリセット信号である。
【００２９】
上記構成において、本実施形態のマルチファンクションプリンタは次のように動作する。図６は、本実施形態の動作を示すシーケン図である。
【００３０】
まず、スキャナコントローラ２ａは、ホストコンピュータ１からのコピー命令、ファクシミリ送信命令、もしくはイメージスキャン命令を受信したら、プリンタ部３が動作中かどうかを確認する。
【００３１】
この時、プリンタ部３が動作中であれば、ホストコンピュータ１にスキャナ休止中ステータスを返信し、動作不可能状態を示す。また、プリンタ部３が動作停止中であれば、プリンタコントローラ３ａにスキャナ部２が動作中であることを報知し、画像の読み取りを開始する。その際、スキャナコントローラ２ａは、所定の読み取りスピードに応じた励磁パルスを出力することにより、ステッピングモータドライバ４によりステッピングモータ３ｂを所定回転数で回転させる。
【００３２】
もしコピー命令（ＣＯＰＹ信号）の受信であれば、画像の読み取り動作を完了させる前からプリンタ部３において前処理、即ち電子写真プロセスの初期化、スキャナ部２の起動、転写定着部の起動を行い、読み取り動作完了後には前記前処理を終了させる状態にする。すなわち、図６に示すように、画像読み取り動作前には、ステッピングモータ３ｂの駆動開始（ステップＳ１１）、前回転（ステップＳ１２）、及び原稿給紙（ステップＳ１３）を順次行い、画像読み取り後は（ステップＳ１４）、用紙給紙（ステップＳ１５）、画像形成（ステップＳ１６）を順次行う。
【００３３】
また、ファクシミリ（ＦＡＸ）送信命令もしくはイメージスキャン命令（ＳＣＮ）の受信であれば、プリンタ部３において前処理として電子写真プロセスの初期化等を行わない。すなわち、図６に示すように、ステッピングモータ３ｂの駆動開始（ステップＳ２１）、原稿給紙（ステップＳ２２）、画像読み取りを順次行う（ステップＳ２３）。
【００３４】
一方、プリンタコントローラ３ａがホストコンピュータ１からの印字開始命令（ＰＲＮＴ信号）を受信した場合は、スキャナ部２が動作中であるかどうかを確認する。この時、スキャナ部２が動作中であれば、ホストコンピュータ１にプリンタ休止中ステータスを返信し、動作不可能状態を知らせる。また、スキャナ部２が動作停止中であれば、スキャナコントローラ２ａにプリンタ部３が動作中であることを報知し、印字動作を開始する。すなわち、図６において、ステッピングモータ３ｂの駆動開始（ステップＳ３１）、前回転（ステップＳ３２）、用紙給紙（ステップＳ１５）、及び画像形成（ステップＳ１６）を順次行う。この時、プリンタコントローラ３ａは、所定のプリントプロセススピードに応じた励磁パルスを出力することにより、ステッピングモータドライバ４によりステッピングモータ３ｂを所定回転数で回転させる。
【００３５】
本実施形態は次のような利点を有している。
【００３６】
（１）スキャン時とファクシミリ送信時には、プリンタ部３側で電子写真プロセスの初期化等の不必要な制御（高圧制御、定着制御、スキャナ制御等）を行わないので、プリンタ部３の電子写真処理に不具合が発生することもなく、性能向上、信頼性向上、及び省エネを図ることができる。
【００３７】
（２）複写動作時には、画像の読み取り動作を完了させる前からプリンタ部３において前処理を行い、読み取り動作完了直後にこの前処理を終了させる状態にするので、複写動作時の出力時間の短縮を図ることができる。
【００３８】
次に、本発明の第２実施形態を説明する。
【００３９】
第２実施形態では、上記第１実施形態の構成において、スキャナコントローラ２ａからプリンタコントローラ３ａへの画像読み取り信号を設けることなく、スキャナコントローラ２ａから密着型イメージセンサへの初期化信号ＳＰのパルス幅を複写動作、ファクシミリ送信動作、及びイメージスキャニング動作に対応させ、プリンタ部３において該パルス幅を計測して複写動作、ファクシミリ送信動作、及びイメージスキャニング動作のいずれであるかを判断し、ステッピングモータ３ｂを駆動する処理を行う。
【００４０】
すなわち、上記シーケンスを表す図７のように、密着型イメージセンサへの初期化信号ＳＰのパルス幅が複写動作（ＳＣＮ）またはファクシミリ送信動作（ＦＡＸ）である場合には、ステッピングモータ３ｂの駆動開始（ステップＳ４１）、原稿給紙（ステップＳ４２）、画像読み取りを順次行う（ステップＳ４３）。
【００４１】
一方、コピー命令（ＣＯＰＹ信号）であれば、画像読み取り動作前には、ステッピングモータ３ｂの駆動開始（ステップＳ５１）、前回転（ステップＳ５２）、及び原稿給紙（ステップＳ５３）を順次行い、画像読み取り後は（ステップＳ５４）、用紙給紙（ステップＳ５５）、及び画像形成（ステップＳ５６）を順次行う。上記動作のタイミング例を図８に示す。
【００４２】
本実施形態によれば、コントローラからのプリント以外の信号、指示（複写、読み取り、ファクシミリ送信）を増やすことなく、従来のプリンタエンジンとコントローラのインターフェースのままで密着イメージセンサの駆動を制御できるために、処理の簡易化が図れる。
【００４３】
なお、上記第１または第２実施形態の構成において、プリンタ部３で複写動作と判断してステッピングモータ３ｂを駆動する為の処理を行うに際し、前記ステッピングモータ３ｂに任意のステップ数を供給した場合に、前記スキャナ部２の１副走査ラインの読み取りとプリンタ部３の１副走査ラインの記録とが同期するように前記駆動源のギア等の伝達比を決定するようにしてもよい。これにより、前記スキャナ部２に対する画像メモリ手段を持たずに、複写動作を行うことが可能になる。
【００４７】
【発明の効果】
以上詳述したように、第１及び第３の発明によれば、初期化信号を検出し、該検出信号に基づいて画像の記録が必要でないと判断される場合は、電子写真プロセスの初期化処理を実行しないようにしたので、画像記録装置の電子写真処理を簡易且つ的確に行うことが可能になる。
【００４８】
第２及び第４の発明によれば、複写動作時は、原稿画像の読み取り動作を完了させる前から画像記録部において前記電子写真プロセスの初期化処理を含む前処理を行い、読み取り動作完了後には該前処理を終了させた状態にし、その後に画像形成を行うようにしたので、複写動作時の出力時間の短縮を図ることが可能になる。
【図面の簡単な説明】
【図１】本発明の第１実施形態に係るマルチファンクションプリンタの概略構成を示す断面図である。
【図２】図１に示したマルチファンクションプリンタの制御ブロック図である。
【図３】密着型イメージセンサユニットの断面構造図である。
【図４】密着型イメージセンサユニットの電気的接続を示すブロック図である。
【図５】主走査解像度４００ＤＰＩ時のタイミング図である。
【図６】第１実施形態の動作を示すシーケン図である。
【図７】第２実施形態の動作を示すシーケン図である。
【図８】第２実施形態の動作を示すスイミング図である。
【符号の説明】
１  ホストコンピュータ
２  スキャナ部
３  プリンタ部
２ａ  スキャナコントローラ
３ａ  プリンタコントローラ
３ｂ  ステッピングモータ
４  ステッピングモータドライバ
５  ＯＲ回路
５１  ＬＥＤ
５２  ロッドレンズ
５３  センサチップ
【図１】
0003595670.tif 000002
【図２】
0003595670.tif 000003
【図３】
0003595670.tif 000004
【図４】
0003595670.tif 000005
【図５】
0003595670.tif 000006
【図６】
0003595670.tif 000007
【図７】
0003595670.tif 000008
【図８】
0003595670.tif 000009